(57)【要約】【課題】本発明は、簡単な構造で、容易にスイッチボックス３への取り付けが行える表示器の取り付け構造を提供することを目的としている。【解決手段】本発明に係る表示器の取り付け構造は、スイッチボックス１に収納して用いられ、スイッチボックス１に固定される取り付け板６と、表示部品やスイッチ等が組み込まれたベース５と、ベース５の前面を被覆するカバー７とから構成され、取り付け板６には、スイッチボックス１に設けられた取り付け穴に対向した位置に取り付け穴を設けることを特徴とする。【選択図】図１
2007163868.tif 000002
【特許請求の範囲】
【請求項１】
太陽光発電による電力量や家庭内使用電力量を表示する表示器の取り付け構造であって、該表示器は、スイッチボックスに収納して用いられ、該スイッチボックスに固定される取り付け板と、表示部品やスイッチ等が組み込まれたベースと、該ベースの前面を被覆するカバーとから構成され、前記取り付け板には、前記スイッチボックスに設けられた取り付け穴に対向した位置に取り付け穴を設けることを特徴とする表示器の取り付け構造。
【発明の詳細な説明】
【技術分野】
【０００１】
本発明は、太陽光発電による電力量や家庭内使用電力量を表示する表示器の取り付け構造に関するものである。
【背景技術】
【０００２】
従来、表示器３１は小型のキャビネット３２に収納した状態で住宅等の壁面に取り付けられていた。キャビネット３２は、前面に開口３２ａが設けられ、本体３２ｂは壁面に埋め込んで使用される。開口３２ａ周縁には取り付け部３２ｃが形成されており、取り付け部３２ｃには取り付け穴３２ｄを設ける。表示器３１側にも、取り付け穴（図示せず）を設け、キャビネット３２の取り付け穴と表示器３１の取り付け穴３２ｄとを対向させ、それぞれねじを挿通し締め付け固定していた。
【非特許文献１】２００５カワムラ総合カタログ電設資材編  平成１７年５月１日発行
【発明の開示】
【発明が解決しようとする課題】
【０００３】
キャビネット３２は、電気工事をする際に多用されるスイッチボックスを利用すると安価で入手しやすいが、図７に示すように、キャビネット３２に設けられた取り付け穴３２ｄ間のピッチＡと表示器３１の寸法Ｂとが合わないと、表示器３１の表示部品部分にキャビネットの取り付け穴が被ってしまうため取り付けられず、取り付け穴の設定位置を変更し、表示器３１に合わせたキャビネットを専用に製作するか、表示器をキャビネット３２に合わせた大きさのものを選択する必要があった。専用のキャビネットを製作するのは、手間がかかると共に製作コストが上昇していた。また、キャビネットに合わせて表示器を決めると、画面が小さくなりがちで操作性が悪くなる虞があった。
【課題を解決するための手段】
【０００４】
そこで本発明は、簡単な構造で、容易にスイッチボックスへの取り付けが行える表示器の取り付け構造を提供することを目的とし、その構造は、スイッチボックスに収納して用いられ、スイッチボックスに固定される取り付け板と、表示部品やスイッチ等が組み込まれたベースと、ベースの前面を被覆するカバーとから構成され、取り付け板には、スイッチボックスに設けられた取り付け穴に対向した位置に取り付け穴を設けることを特徴とする。
【発明の効果】
【０００５】
本発明に係る表示器はスイッチボックスに収納して用いられ、スイッチボックスに固定される取り付け板と、表示部品やスイッチ等が組み込まれたベースと、ベースの前面を被覆するカバーとから構成され、取り付け板には、スイッチボックスに設けられた取り付け穴に対向した位置に取り付け穴を設けるため、専用のキャビネットを用意することなく、従来使用してきたスイッチボックスに容易に収納でき、経済的であると共に、設置工事も容易である。
【発明を実施するための最良の形態】
【０００６】
電気工事で多用されているキャビネットに取り付けられる表示器を提供するという目的を、部品点数を抑え、且つ、作業性を向上させて実現した。
【実施例１】
【０００７】
本発明に係る表示器の実施例を図１〜図６の添付図面に基づいて説明する。
【０００８】
太陽光発電による電力量や、家庭内の使用電力量を表示し、家屋内に設置される表示器であって、表示器は壁面に埋め込んで取り付けられているスイッチボックス１に収納して用いる。図４に示すように、スイッチボックス１は前面に開口１ａが設けられ、開口１ａ周縁には取り付け部１ｂが形成されており、取り付け部１ｂに取り付け穴１ｃが設けられている。
【０００９】
表示器は、液晶表示部品２やスイッチ３、基板４等を搭載したベース５と、ベース５をスイッチボックス１に固定するための取り付け板６と、取り付け板９の前面を被覆するカバー７とで構成される。
【００１０】
ベース５の前面には液晶表示部品２の表示部２ａが露出されまた、スイッチ３や基板４等が取り付けられる。液晶表示部品２の部品部分２ｂはベース５の裏面に突出させ、その部分をスイッチボックス１に収納する。また、ベース５の前面端部には貫通穴５ａを設ける。
【００１１】
取り付け板６には、ベース５に搭載されている液晶表示部品の部品部分２ｂを露出させるための突出穴６ａが設けられる。スイッチボックス１に設けられた取り付け穴１ｃに対向する位置に固定穴６ｂを設ける。また取り付け板６の端部には係合突起６ｃが形成される。
【００１２】
カバー７には、ベース５に搭載されている液晶表示部品２を露出させる表示穴７ａと、スイッチ３を露出させるための操作穴７ｂが設けられる。カバー７の裏面には、ベース５に設けられている貫通穴５ａに対向する位置にフック７ｃが突設されている。
【００１３】
スイッチボックス１へ表示器の取り付けは、まず、スイッチボックス１へ取り付け板６を取り付ける。スイッチボックス１に設けられている取り付け穴１ｃと、取り付け板６に設けられている固定穴６ｂとを対向させ、螺子８を挿通し締め付け固定する。
【００１４】
液晶表示部品２等が搭載されたベース５をカバー７で被覆する。カバー７に設けられたフック７ｂをベース５の貫通穴５ａに差し込み、液晶表示部品２とスイッチ３とを露出させながらベース５をカバー７で被覆する。
【００１５】
カバー７で被覆されたベース５を取り付け板６に取り付ける。取り付け板６に形成されている係合突起６ｃにベース５を係合させて取り付ける。
【産業上の利用可能性】
【００１６】
以上にように、電力量等の表示をする表示器は前面に表示部品やスイッチを露出した状態で、他の電気工事に多用されるスイッチボックスに容易に取り付けられる。
【図面の簡単な説明】
【００１７】
【図１】本発明に係る表示器の取り付け板を示す説明図である。（実施例１）
【図２】本発明に係る表示器のベースに液晶表示部品等が取り付けられた状態を示す説明図である。（実施例１）
【図３】本発明に係る表示器のカバーを示す説明図である。（実施例１）
【図４】本発明に係る表示器を収納するスイッチボックスを示す説明図である。（実施例１）
【図５】スイッチボックスに表示器を収納する状態を示す説明図である。（実施例１）
【図６】スイッチボックスに表示器を収納する状態を示す説明図である。（実施例１）
【図７】スイッチボックスと表示器の寸法の関係を示す説明図である。
【符号の説明】
【００１８】
１      スイッチボックス
１ａ    開口
１ｂ    取り付け部
１ｃ    取り付け穴
２      液晶表示部品
３      スイッチ
４      基板
５      ベース
５ａ    貫通穴
６      取り付け板
６ａ    突出穴
６ｂ    固定穴
６ｃ    係合突起
７      カバー
７ａ    表示穴
７ｂ    操作穴
７ｃ    フック
８      螺子
【図１】
2007163868.tif 000003
【図２】
2007163868.tif 000004
【図３】
2007163868.tif 000005
【図４】
2007163868.tif 000006
【図５】
2007163868.tif 000007
【図６】
2007163868.tif 000008
【図７】
2007163868.tif 000009